(57)【要約】【課題】刈払機を使用して雑草等を刈る作業者の負担の軽減を図る。【解決手段】外周縁に沿って刃が形成されている刈刃本体１１の外周部１１１が、径方向の外方に向かうにつれて下方に偏倚するように傾斜している刈払機用の回転刈刃１を構成した。【選択図】図６
2018007568.tif 000002
【特許請求の範囲】
【請求項１】
外周縁に沿って刃が形成されている刈刃本体の外周部が、径方向の外方に向かうにつれて下方に偏倚するように傾斜している刈払機用の回転刈刃。
【請求項２】
前記刈刃本体における外周部よりも内方の部位の下面側に、周方向に沿って拡張し前記外周部よりも下方に突出する接地部が設けられている請求項１記載の回転刈刃。
【請求項３】
前記刈刃本体の上面側に、先端部が前記刃よりも径方向の外方に突出するコードを取り付けるためのコード取付部が設けられている請求項１または２記載の回転刈刃。
【請求項４】
前記コード取付部には貫通孔が穿たれる一方、当該コード取付部に取り付けられるコードの基端部には前記貫通孔の内径よりも拡張した抜け止めが設けられている請求項３記載の回転刈刃。
【発明の詳細な説明】
【技術分野】
【０００１】
本発明は、刈払機用の回転刈刃に関する。
【背景技術】
【０００２】
動力源たるエンジンまたはモータが出力する回転駆動力を回転刈刃に伝達してこれを回転させ、その回転刈刃により雑草等を薙ぎ払う手作業用の刈払機が公知である（例えば、下記特許文献を参照）。
【０００３】
一般に、刈払機に用いられる回転刈刃は、平らな円板状をなしており、その外周縁に沿って刃が形成されている。雑草等を刈る際には、回転刈刃を傾斜させ、刃先を斜め下方に向けた状態で雑草等の中に侵入させる。ある一定の領域の雑草等を刈るためには、作業者が刈払機のハンドルを把持し、主管を左右に振ってその先端に装着された回転刈刃を左右に往復移動させるが、回転刈刃が左方に移動するときと右方に移動するときとでは、回転刈刃の傾斜方向を変える必要が生じる。つまり、作業者は、主管を左右に振りながら、なおかつ刈払機の姿勢を揺動させる操作を行うことを強制され、老人その他の体力の乏しい者にとって負担が大きいと言えた。
【先行技術文献】
【特許文献】
【０００４】
【特許文献１】特開２０１４−１１７２３４号公報
【発明の概要】
【発明が解決しようとする課題】
【０００５】
本発明は、刈払機を使用して雑草等を刈る作業者の負担の軽減を図ることを所期の目的としている。
【課題を解決するための手段】
【０００６】
上述した課題を解決するべく、本発明では、外周縁に沿って刃が形成されている刈刃本体の外周部が、径方向の外方に向かうにつれて下方に偏倚するように傾斜している刈払機用の回転刈刃を構成した。
【０００７】
前記刈刃本体における外周部よりも内方の部位の下面側に、周方向に沿って拡張し前記外周部よりも下方に突出する接地部が設けられていれば、刈刃の刃先が地面に接するよりも先に接地部が地面に接することとなるため、刃先が地面に衝突して損耗することを防止できる。
【０００８】
前記刈刃本体の上面側に、先端部が前記刃よりも径方向の外方に突出するコードを取り付けるためのコード取付部が設けられていれば、刈払機を使用して雑草等を刈る作業時に、刈刃とコードとを併用することが可能となり、刈刃の刃先がブロック塀やフェンス、建築構造物の壁等に衝突するおそれが低減する。
【０００９】
その上で、前記コード取付部に貫通孔が穿たれる一方、当該コード取付部に取り付けられるコードの基端部に前記貫通孔の内径よりも拡張した抜け止めが設けられていれば、当該コードの先端部をコード取付部の貫通孔に径方向の内方から外方に向けて挿通することで、簡便にコードを回転刈刃に対して取り付けることができる。
【発明の効果】
【００１０】
本発明によれば、刈払機を使用して雑草等を刈る作業者の負担の軽減を図り得る。
【図面の簡単な説明】
【００１１】
【図１】本発明の一実施形態の回転刈刃の適用対象となる刈払機の一例を示す斜視図。
【図２】同実施形態の回転刈刃を上面側から見た斜視図。
【図３】同実施形態の回転刈刃の平面図。
【図４】同実施形態の回転刈刃を下面側から見た斜視図。
【図５】同実施形態の回転刈刃の底面図。
【図６】同実施形態の回転刈刃のVI−VI線縦断面図。
【発明を実施するための形態】
【００１２】
本発明の一実施形態を、図面を参照して説明する。図１に、本実施形態の回転刈刃１の適用対象となる、既知の刈払機の一例を示している。図示例の刈払機は、動力源となるエンジンまたはモータ２と、エンジンまたはモータ２が出力する回転駆動力を回転刈刃１に伝達するための伝達機構を構成するクラッチケース３、主管４及びギヤケース５と、ギヤケース５に連結した回転刈刃１と、主管４に固定したハンドル６とを具備する。
【００１３】
クラッチケース３は、エンジンまたはモータ２から入力される駆動力を伝達するクラッチを内包する。主管４は、エンジンまたはモータ２からクラッチを介して供給される駆動力により軸心回りに回転する駆動軸を内包する。ギヤケース５は、駆動軸に従動して回転刈刃１を回転駆動するギヤを内包する。回転刈刃１は、刈払機のギヤケース５に対して脱着可能である。ハンドル６には、エンジンまたはモータ２が出力する駆動力を増減させるために操作されるスロットルレバー７が付随する。
【００１４】
図２ないし図６に、本実施形態の刈払機用の回転刈刃１を示す。この回転刈刃１は、外周縁に沿って多数のチップ付きの刃（チップソー）が形成された刈刃本体１１と、刈刃本体１１の内周側にあってその中心部位に刈払機のギヤケース５と連結するための連結部１２３を有した基体１２とを備える。
【００１５】
刈刃本体１１は、内部が中空な平面視略円環状の、例えば金属製の部材である。図６に示しているように、刈刃本体１１の外周部１１１は、切頭円錐面状をなすように、回転刈刃１の径方向の外方に向かって斜め下向きに延びている。換言すれば、刈刃本体１１の外周部１１１は、径方向に沿って外方に向かうにつれて、回転刈刃１の回転中心軸Ａに対して平行な下方に偏倚するように傾斜している。
【００１６】
基体１２は、例えば硬質樹脂成形品であり、刈刃本体１１の内周部１１２が固定される固定部１２１と、固定部１２１の内側で下方に膨出した接地部１２２と、接地部１２２の内側で上方に突出した連結部１２３とを有する。固定部１２１は、平面視幅の細い円環状をなし、刈刃本体１１の内周部１１２に上面側から接する。刈刃本体１１の下面側には、平面視固定部１２１と同等の幅の細い円環状の固定部材１３を配置する。固定部材１３もまた、例えば硬質樹脂成形品である。そして、基体１２の固定部１２１と固定部材１３とで刈刃本体１１の内周部１１２を上下から挟み、その状態で基体１２の固定部１２１、刈刃本体１１の内周部１１２及び固定部材１３を貫通するボルト１４１をナット１４２に螺合させて緊締せしめることで、刈刃本体１１及び固定部材１３を基体１２に固着している。
【００１７】
基体１２の接地部１２２は、刈刃本体１１の刃が地面に衝突することを抑止して刃を損耗から保護する目的で設けられており、図６に示すように、刈刃本体１１の外周部１１１さらには外周縁の刃先よりも下方に突出している。接地部１２２は、回転刈刃１の周方向（回転方向、径方向に対して直交する方向）に沿って拡張している。図５中、接地部１２２の下底面を、網点（トーン）を付して表している。
【００１８】
基体１２の連結部１２３には、これを上下方向に貫通する軸孔１２４を穿ち設けており、この軸孔を利用して回転刈刃１を刈払機のギヤケース５に脱着可能に連結することが可能となっている。
【００１９】
基体１２の固定部１２１の上面には、樹脂製の細いコード１５、特にナイロンコードを取り付けるためのコード取付部１２５が存在している。コード１５は、刈刃本体１１の刃とともに雑草等を薙ぎ払う働きをする。本実施形態では、一対のコード取付部１２５を設けており、各コード取付部１２５に一本ずつ、計二本のコード１５を回転刈刃１に取り付けることが可能である。
【００２０】
コード取付部１２５は、固定部１２１から上方に突き出すように基体１２に一体成形してある。そして、コード取付部１２５には、回転刈刃１の径方向に沿ってこれを貫通する貫通孔１２６を穿ち設けている。
【００２１】
他方、コード１５には、その基端部に、例えば金属製の抜け止め１５１をかしめることで固着している。抜け止め１５１は、コード取付部１２５に形成した貫通孔１２６の内径よりも大きく拡張する鍔を有している。コード１５を基体１２に取り付ける際には、コード１５の先端部をコード取付部１２５の貫通孔１２６に径方向の内方から外方に向かって挿入する。結果、図６に示すように、抜け止め１５１の鍔がコード取付部１２５の貫通孔１２６の周縁に係合する。図３、図５及び図６に示しているように、回転刈刃１に取り付けたコード１５の先端部は、刈刃本体１１の刃先よりも径方向の外方に突出する。回転刈刃１が回転するとき、コード１５には遠心力が作用するが、抜け止め１５１の鍔とコード取付部１２５との係合を通じて、コード１５がコード取付部１２５から脱出することが阻まれる。
【００２２】
基体１２からコード１５を取り外すには、コード１５を径方向の内方に向かって引っ張り、コード取付部１２５の貫通孔１２６から引き抜けばよい。
【００２３】
本実施形態では、外周縁に沿って刃が形成されている刈刃本体１１の外周部１１１が、径方向の外方に向かうにつれて下方に偏倚するように傾斜している刈払機用の回転刈刃１を構成した。
【００２４】
本実施形態によれば、回転刈刃１の刃先が自然と斜め下方を向くこととなる。このため、雑草等を刈る作業時に敢えて回転刈刃１を傾斜させるように刈払機の姿勢を揺動させる必要がなく、刈払機を操作する作業者の負担を軽減することが可能となる。即ち、従来の回転刈刃を装備した刈払機を使用して作業を行う場合には、刈刃を斜めに振るように操作しなければならなかったのに対し、本実施形態の回転刈刃１を装備した刈払機を使用して作業を行う場合には、刈刃１を地面に沿わせるように、いわば地面を撫でるように操作することで、簡便に雑草等を刈ることができる。
【００２５】
前記刈刃本体１１における外周部１１１よりも内方の部位の下面側に、周方向に沿って拡張し前記外周部１１１よりも下方に突出する接地部１２２を設けているため、回転刈刃１の刃先が地面に接するよりも先に接地部１２２が地面に接することとなり、刃先が地面に衝突して損耗することを予防できる。
【００２６】
加えて、前記刈刃本体１１の上面側に、先端部が前記刃よりも径方向の外方に突出するコード１５を取り付けるためのコード取付部１２５を設けており、回転刈刃１が刃とコード１５とを両備するため、刃ではなくコード１５によって雑草等を刈ることができ、刃がブロック塀やフェンス、建築構造物の壁等に衝突するおそれも低減する。
【００２７】
その上で、前記コード取付部１２５には貫通孔１２６を穿つ一方、当該コード取付部１２５に取り付けられるコード１５の基端部には前記貫通孔１２６の内径よりも拡張した抜け止め１５１を設けており、コード取付部１２５へのコード１５の取り付けや、コード取付部１２５からのコード１５の取り外しが簡便なものとなる。従って、コード１５の交換が容易であり、不要ならばコード１５を回転刈刃１から撤去することもできる。
【００２８】
なお、本発明は以上に詳述した実施形態に限られるものではない。各部の具体的構成は、本発明の趣旨を逸脱しない範囲で種々変形が可能である。
【符号の説明】
【００２９】
１…回転刈刃
１１…刈刃本体
１１１…外周部
１２２…接地部
１２５…コード取付部
１２６…貫通孔
１５…コード
１５１…抜け止め
【図１】
2018007568.tif 000003
【図２】
2018007568.tif 000004
【図３】
2018007568.tif 000005
【図４】
2018007568.tif 000006
【図５】
2018007568.tif 000007
【図６】
2018007568.tif 000008